(57)【要約】【課題】地震発生の際に有用性の高いものとなる表示装置及び表示システムを提供する。【解決手段】表示部と、振動を検出する振動検出部と、前記振動検出部の検出信号に基づき振動が生じているか否かを判定する判定部と、前記表示部に電源を供給する電源供給部と、前記判定部により振動が生じていると判定された場合に、前記表示部への電源供給を停止するよう前記電源供給部を制御する制御部と、を備えた表示装置とした。【選択図】図１
2012257353.tif 000002
【特許請求の範囲】
【請求項１】
表示部と、
振動を検出する振動検出部と、
前記振動検出部の検出信号に基づき振動が生じているか否かを判定する判定部と、
前記表示部に電源を供給する電源供給部と、
前記判定部により振動が生じていると判定された場合に、前記表示部への電源供給を停止するよう前記電源供給部を制御する制御部と、
を備えたことを特徴とする表示装置。
【請求項２】
前記電源供給部は、
前記振動検出部の出力電圧の大きさが第１所定値以上の場合、該表示装置の電源を停止させ、
前記振動検出部の出力電圧の大きさが第１所定値以下であって、該出力電圧の変化量が第２所定値以上である場合、該表示装置の表示部の電源を一時的に停止させることを特徴とする請求項１に記載の表示装置。
【請求項３】
太陽電池と、
前記太陽電池により得られた電力を蓄電する蓄電装置と、
前記太陽電池及び前記蓄電装置から電力を供給される請求項１に記載の表示装置と、
を備えたことを特徴とする表示システム。
【請求項４】
振動を検出する振動検出部と、
前記振動検出部の検出信号に基づき振動が生じているか否かを判定する判定部と、
前記判定部により振動が生じていると判定された場合に、通常の画面から専用画面に表示を切替える表示制御部と、を備えたことを特徴とする表示装置。
【請求項５】
太陽電池と、
前記太陽電池により得られた電力を蓄電する蓄電装置と、
前記太陽電池及び前記蓄電装置から電力を供給される表示装置と、
携帯電話に対して充電を行う充電装置と、を備え、
前記表示装置は、
振動を検出する振動検出部と、
前記振動検出部の検出信号に基づき振動が生じているか否かを判定する判定部と、
前記充電装置に電源を供給する電源供給部と、
前記判定部により振動が生じていると判定された場合に、前記充電装置への電源供給を開始するよう前記電源供給部を制御する制御部と、を備えたことを特徴とする表示システム。
【請求項６】
前記判定部により振動が生じていると判定された場合に、前記充電装置を有効にするか否かを確認する画面を表示する表示部を備え、
前記画面表示において前記充電装置を有効にすることが選択された場合に、前記制御部は、前記充電装置への電源供給を開始するよう前記電源供給部を制御することを特徴とする請求項５に記載の表示システム。
【発明の詳細な説明】
【技術分野】
【０００１】
本発明は、表示装置及び表示システムに関する。
【背景技術】
【０００２】
近年、デジタルサイネージと呼ばれる、表示と通信にデジタル技術を活用して平面ディスプレイ等によって映像や情報を表示する広告媒体が普及しており、街中でデジタルサイネージを用いた広告が見られるようになってきた。このようなデジタルサイネージは、バス停や電車の駅等、比較的公共性の高い場所で使用されることも少なくない（特許文献１）。
【先行技術文献】
【特許文献】
【０００３】
【特許文献１】特開２００９−２９４２８４号公報（第３図）
【発明の概要】
【発明が解決しようとする課題】
【０００４】
ここで近年、地震対策の重要性が増しているが、従来のデジタルサイネージにおいては、地震が発生した場合に内蔵する回路のショートによる発火や発煙の危険性が生じる。
【０００５】
また、従来のデジタルサイネージでは、地震が発生した場合でも通常の表示が行われるのみであり、被災者に有用な表示がなんらなされなかった。デジタルサイネージが商用電源で駆動され、地震によりデジタルサイネージへの電源供給が停止された場合は表示自体が停止してしまっていた。
【０００６】
また、地震発生の際には、被災者の安否を確認する手段として特に携帯電話が重要となる。仮に地震によって一般家庭への電力供給が停止された場合、携帯電話を充電することができなくなるため、安否の確認に支障を来たすことになる。従来のデジタルサイネージは、このような事態に対してなんら有用な手段を提供するものではなかった。
【０００７】
上記問題点に鑑み、本発明は、地震発生の際に有用性の高いものとなる表示装置及び表示システムを提供することを目的とする。
【課題を解決するための手段】
【０００８】
本発明の或る態様の表示装置は、
表示部と、
振動を検出する振動検出部と、
前記振動検出部の検出信号に基づき振動が生じているか否かを判定する判定部と、
前記表示部に電源を供給する電源供給部と、
前記判定部により振動が生じていると判定された場合に、前記表示部への電源供給を停止するよう前記電源供給部を制御する制御部と、
を備えたことを特徴とする。
【０００９】
係る表示装置によれば、地震発生により回路のショートが生じた場合でも、表示部への電源供給が停止されるので、発火や発煙の危険性を抑えることができる。
【００１０】
また、前記電源供給部は、
前記振動検出部の出力電圧の大きさが第１所定値以上の場合、該表示装置の電源を停止させ、
前記振動検出部の出力電圧の大きさが第１所定値以下であって、該出力電圧の変化量が第２所定値以上である場合、該表示装置の表示部の電源を一時的に停止させるようにしてもよい。
【００１１】
また、本発明の或る態様の表示システムは、
太陽電池と、
前記太陽電池により得られた電力を蓄電する蓄電装置と、
前記太陽電池及び前記蓄電装置から電力を供給される上記構成の表示装置と、
を備えたことを特徴とする。
【００１２】
また、本発明の別の態様の表示装置は、
振動を検出する振動検出部と、
前記振動検出部の検出信号に基づき振動が生じているか否かを判定する判定部と、
前記判定部により振動が生じていると判定された場合に、通常の画面から専用画面に表示を切替える表示制御部と、を備えたことを特徴とする。
【００１３】
係る表示装置によれば、地震発生の際に表示装置の表示が通常の画面から専用画面に切替るため、被災者にとって有用な情報を報知することができる。
【００１４】
また、本発明の更に別の態様の表示システムは、
太陽電池と、
前記太陽電池により得られた電力を蓄電する蓄電装置と、
前記太陽電池及び前記蓄電装置から電力を供給される表示装置と、
携帯電話に対して充電を行う充電装置と、を備え、
前記表示装置は、
振動を検出する振動検出部と、
前記振動検出部の検出信号に基づき振動が生じているか否かを判定する判定部と、
前記充電装置に電源を供給する電源供給部と、
前記判定部により振動が生じていると判定された場合に、前記充電装置への電源供給を開始するよう前記電源供給部を制御する制御部と、を備えたことを特徴とする。
【００１５】
係る表示システムによれば、地震発生の際、充電装置への電源供給が開始されて充電装置が有効となる。地震により一般家庭への電力供給が停止された場合でも、太陽電池及び蓄電装置からの電力供給により、充電装置による携帯電話の充電が可能となる。従って、被災者が携帯電話を使用して安否確認を行うことが容易となる。
【００１６】
また、前記判定部により振動が生じていると判定された場合に、前記充電装置を有効にするか否かを確認する画面を表示する表示部を備え、前記画面表示において前記充電装置を有効にすることが選択された場合に、前記制御部は、前記充電装置への電源供給を開始するよう前記電源供給部を制御するようにしてもよい。
【発明の効果】
【００１７】
本発明によれば、地震発生の際に有用性の高いものとなる。
【図面の簡単な説明】
【００１８】
【図１】本発明の第１実施形態に係る表示装置のブロック図である。
【図２】本発明の第１実施形態に係る表示装置における電源供給停止制御に関するフローチャートである。
【図３】本発明の第２実施形態に係る表示システムのブロック図である。
【図４】本発明の第３実施形態に係る表示システムのブロック図である。
【発明を実施するための形態】
【００１９】
以下に本発明の実施形態を図面を参照して説明する。なお、以下説明する表示装置及び表示システムは、主に屋外に設置されるものである。
【００２０】
（第１実施形態）
本発明の第１実施形態に係る表示装置１０のブロック図を図１に示す。表示装置１０は、受信部１と、蓄積部２と、加速度センサ３と、制御部４と、電源供給部５と、表示部６と、を備えている。表示部６は、表示制御部７と、バックライト８と、表示パネル９と、を有している。
【００２１】
受信部１は、外部のコンテンツサーバ（例えば、ＡＳＰサーバ、パソコンなど）あるいは放送局から無線通信（例えば、ＷｉＭＡＸ、ＩＥＥＥ８０２．１１ｂ／ｇなどの方式）により送信される信号を受信するアンテナと、アンテナで受信した信号に対し復調処理などを行う信号処理部などを備える。例えば、無線信号がＯＦＤＭ方式により変調されて伝送されたＭＰＥＧ２−ＴＳ形式の信号であれば、受信部１はＯＦＤＭ復調を行い、ＭＰＥＧ２−ＴＳ信号を抽出する。抽出されたＭＰＥＧ２−ＴＳ信号は、蓄積部２へ出力される。
【００２２】
蓄積部２は、受信部１により抽出されたコンテンツ等を保存する。コンテンツがリアルタイムコンテンツである場合（受信したコンテンツを即時に表示パネル９で表示するような場合）、蓄積部２はバッファメモリとして機能する。コンテンツがユーザの操作に応じて表示されるコンテンツ、あるいは予め設定されたタイムスケジュールに基づいて表示されるコンテンツである場合、蓄積部２はストレージメディアとして機能する。
【００２３】
加速度センサ３は、表示装置１０の振動を検出する振動検出部として用いられ、Ｘ軸方向、Ｙ軸方向のそれぞれの加速度を検出する２軸加速度センサである。検出された加速度に応じた電圧信号はＸ軸、Ｙ軸それぞれについて制御部４に出力される。加速度センサ３としては、例えばＭＥＭＳＩＣ製加速度センサＭＸＡ２５００Ｅを使用することができる。加速度センサ３は、例えばＸ軸方向が表示装置１０の前後方向になり、Ｙ軸方向が表示装置１０の左右方向となるように配置される。このように配置すれば、表示装置１０が傾いていない通常状態ではＸ軸方向、Ｙ軸方向いずれに関しても検出される重力加速度は０となる。加速度センサ３が上記加速度センサＭＸＡ２５００Ｅの場合は、重力加速度のＸ軸方向、Ｙ軸方向の成分が０のとき約１．２５Ｖの電圧信号が出力される。表示装置１０が傾いた場合、加速度センサ３も傾くので、傾き角に応じた加速度が検出される。加速度センサＭＸＡ２５００Ｅは、例えば傾き角が３０°の場合、上記約１．２５Ｖから約±０．２５Ｖだけ変化した電圧信号（即ち１．５Ｖまたは１．０Ｖ）を出力する。
【００２４】
なお、加速度センサ３は、表示装置１０の外部に設けられるようにしても構わない。例えば、表示装置１０から離れた地点で地震が発生した場合、その地点にある加速度センサから遠隔情報通知を使用して表示装置１０に通知し、地震の影響が表示装置１０に及ぶ前に事前に備えておくことができる。
【００２５】
制御部４は、例えばマイクロコンピュータにより構成され、表示装置１０の各部に対する制御、各部の状態情報の収集を行う。また、収集した状態情報に応じて各部の制御を行う。
【００２６】
電源供給部５は、表示装置１０の各部に対し電源供給を行う。電源供給部５は、商用電源から供給される例えば交流１００Ｖを直流電源に変換し、表示部６を構成する表示制御部７、バックライト８及び表示パネル９の各部に直流電源を供給する（図１）。なお、図１では図示していないが、電源供給部５は、受信部１、蓄積部２、加速度センサ３、制御部４などにも直流電源を供給する。
【００２７】
表示制御部７は、表示パネル９における表示制御を行う。具体的には、表示させるコンテンツの内容に応じて、表示パネル９の各画素に対応する液晶の制御を行う。表示制御部７は高速な処理を必要とするため、制御部４とは別に設けられた専用のハードウェア回路により実現される。
【００２８】
表示パネル９は、実際に画像の表示を行う部分であり、本実施形態の表示装置１０では液晶表示パネルが用いられている。液晶表示パネルは、表示する画像の内容に応じてパネルの各画素に対応する液晶がオン・オフ（またはその中間状態）駆動される。
【００２９】
バックライト８は、表示パネル９に白色光を照射する。バックライト８は、例えば冷陰極管（ＣＣＦＬ）、ＬＥＤ光源が用いられる。低消費電力化のためにはＬＥＤ光源を用いることが望ましい。
【００３０】
次に、このような構成である表示装置１０における電源供給停止制御に関して図２のフローチャートを用いて説明する。
【００３１】
まず、ステップＳ１で、制御部４は、加速度センサ３から出力されるＸ軸及びＹ軸それぞれの電圧信号を取得する。
【００３２】
次に、ステップＳ２で、制御部４は、Ｘ軸の電圧信号、Ｙ軸の電圧信号のいずれかが傾き角３０°以上に相当するか否かを判定する。加速度センサ３が上記加速度センサＭＸＡ２５００Ｅの場合は、１．５Ｖ以上または１．０Ｖ以下の電圧信号が傾き３０°以上に相当する。なお、傾き角３０°は一例であり、他の所定角度としてもよい。
【００３３】
Ｘ軸の電圧信号、Ｙ軸の電圧信号のいずれかが傾き角３０°以上に相当すると判定された場合は（ステップＳ２のＹ）、表示装置１０が大きく傾いている、または倒れているとして、ステップＳ６に進み、制御部４は、表示部６への電源供給を完全に停止するよう電源供給部５を制御する。これにより、電源供給部５は、次に電源をオンとする指令を受けるまで表示部６への電源供給停止を維持する。
【００３４】
一方、Ｘ軸の電圧信号、Ｙ軸の電圧信号のいずれも傾き角３０°以上に相当しないと判定された場合は（ステップＳ２のＮ）、ステップＳ３に進み、制御部４は、振動検知処理を実行する。ここで、制御部４は、加速度センサ３から出力されるＸ軸及びＹ軸それぞれの電圧信号を所定時間間隔（例えば５０ｍｓ間隔）で取得し、取得された電圧信号の変化量の絶対値をＸ軸、Ｙ軸それぞれについて算出する。
【００３５】
そして、ステップＳ４に進み、制御部４は、Ｘ軸、Ｙ軸のいずれかについて上記算出された変化量の絶対値が所定レベル以上であるか否かを判定する。もしＸ軸、Ｙ軸のいずれかについて変化量の絶対値が所定レベル以上であれば、表示装置１０は振動していると判定し（ステップＳ４のＹ）、ステップＳ５に進む。
【００３６】
ステップＳ５では、制御部４は、上記ステップＳ３及び上記ステップＳ４と同様の処理を所定回数実行し、所定回数振動していることを検知すれば（ステップＳ５のＹ）、ステップＳ６に進む。ステップＳ６で、制御部４は、表示部６への電源供給を完全に停止するよう電源供給部５を制御する。一方、ステップＳ５で振動の検出回数が所定回数より小さい場合は（ステップＳ５のＮ）、ステップＳ７に進む。ステップＳ７で、制御部４は、表示部６への電源供給を一定時間停止するよう電源供給部５を制御する。ステップＳ７の後、ステップＳ１に戻る。
【００３７】
また、上記ステップＳ４で、振動していないことが検知された場合は（ステップＳ４のＮ）、ステップＳ８に進む。ステップＳ８で、制御部４は、表示部６への電源供給が一時停止中であるか否かを判定し、一時停止中でなければ（ステップＳ８のＮ）、表示部６への電源供給を維持し、ステップＳ１に戻る。一方、表示部６への電源供給が一時停止中であれば（ステップＳ８のＹ）、ステップＳ９に進む。ステップＳ９で、制御部４は、表示部６への電源供給を再開するよう電源供給部５を制御し、ステップＳ１に戻る。
【００３８】
このような図２に示す処理によれば、地震が発生して表示装置１０が振動している場合、ステップＳ４で振動が検知された後（ステップＳ４のＹ）、ステップＳ５で所定回数以上振動が検知され（ステップＳ５のＹ）、ステップＳ６で表示部６への電源供給が完全に停止される。これにより、地震によって回路のショートが発生した場合でも、発火や発煙の危険性を抑えることができる。
【００３９】
また、表示装置１０が何かとぶつかって、または悪戯により揺らされて振動した場合、振動は途中で収まるので、ステップＳ４で振動が検知された後（ステップＳ４のＹ）、ステップＳ５で所定回数以上振動を検知しないので（ステップＳ５のＮ）、ステップＳ７で表示部６への電源供給が一定時間停止される。そして、ステップＳ１に戻った後、ステップＳ４で振動はしていないことが検知されるので（ステップＳ４のＮ）、ステップＳ８に進み、電源供給が一時停止中であるので（ステップＳ８のＹ）、ステップＳ９で表示部６への電源供給が再開される。このように、地震による振動との区別をつけることが可能となる。
【００４０】
（第２実施形態）
本発明の第２実施形態に係る表示システム１００のブロック図を図３に示す。図３に示す表示システム１００は、表示装置２０と、太陽電池２１と、コントローラ２２と、蓄電池２３と、を備えている。表示装置２０は、受信部１１と、蓄積部１２と、加速度センサ１３と、制御部１４と、電源供給部１５と、表示部１６と、を備えている。表示部１６は、表示制御部１７と、バックライト１８と、表示パネル１９と、を有している。
【００４１】
太陽電池２１は、受光した太陽光を光電変換することにより発電を行う。コントローラ２２は、太陽電池２１が発電した電力を表示装置２０及び蓄電池２３へ供給する。蓄電池２３は、例えばリチウムイオンバッテリ（バッテリパック）である。原則的に、コントローラ２２は、太陽電池２１が発電した電力の大部分をそのまま表示装置２０へ供給する。そして、余剰電力（太陽電池２１による発電電力と表示装置２０の消費電力の差分電力）を蓄電池２３へ供給する。また、夜間や雨天時は、コントローラ２２は、蓄電池２３から表示装置２０へ電力供給がなされるように制御する。即ち、蓄電池２３に蓄えられた電力は、コントローラ２２経由で表示装置２０へ供給される。
【００４２】
表示装置２０の構成は、図１で説明した第１実施形態に係る表示装置１０の構成と基本的に同様であり詳述は省くが、電源供給部１５は、太陽電池２１及び蓄電池２３から直流電力をコントローラ２２を介して供給され、供給された直流電力をＤＣ／ＤＣ変換して直流電源を表示部１６を始めとする表示装置２０の各部に供給する。
【００４３】
制御部１４は、振動検知処理を実行する。即ち、加速度センサ１３から出力されるＸ軸及びＹ軸それぞれの電圧信号を所定時間間隔（例えば５０ｍｓ間隔）で取得し、取得された電圧信号の変化量の絶対値をＸ軸、Ｙ軸それぞれについて算出する。そして、制御部１４は、Ｘ軸、Ｙ軸のいずれかについて上記算出された変化量の絶対値が所定レベル以上であるか否かを判定することで、表示装置２０が振動しているか否かを判定する。
【００４４】
表示装置２０が振動していると判定された場合、制御部１４は、蓄積部１２に保存された専用画像を表示パネル１９に表示させるよう表示制御部１７を制御する。これにより、表示パネル１９に例えば緊急避難地や避難地までの避難経路を示す専用画像を表示させる。
【００４５】
これにより、通常は例えば広告用画像を表示パネル１９に表示させている表示装置２０において、地震が発生して制御部１４により表示装置２０が振動していると判定されると、表示パネル１９の表示が広告用画像から専用画像に切替る。この専用画像の表示により、近隣住民に例えば緊急避難地や避難地までの避難経路を知らせることができる。また、万が一、地震により一般家庭への電力供給が停止された場合でも、太陽電池２１及び蓄電池２３から表示装置２０が電力供給を受けるため、表示システム１００単独で表示を継続することが可能となる。
【００４６】
なお、振動検知処理を所定の複数回数実行して全ての処理で振動が検出された場合に、地震が発生しているとして、専用画像に表示を切替えるようにし、所定の複数回数実行する途中で振動していないことが検出された場合は、悪戯等による振動であるとして、通常の画像表示を継続するようにしてもよい。
【００４７】
（第３実施形態）
本発明の第３実施形態に係る表示システム２００のブロック図を図４に示す。図４に示す表示システム２００は、表示装置４５と、太陽電池２１と、コントローラ２２と、蓄電池２３と、携帯電話充電装置５０と、を備えている。表示装置４５は、受信部３１と、蓄積部３２と、加速度センサ３３と、制御部３４と、電源供給部３５と、表示部３６と、タッチパネル４０と、を備えている。表示部３６は、表示制御部３７と、バックライト３８と、表示パネル３９と、を有している。
【００４８】
太陽電池２１、コントローラ２２及び蓄電池２３については上述した第２実施形態と同様である。表示装置４５の構成は、図１で説明した第１実施形態に係る表示装置１０の構成と基本的に同様であり詳述は省くが、電源供給部３５は、太陽電池２１及び蓄電池２３から直流電力をコントローラ２２を介して供給され、供給された直流電力をＤＣ／ＤＣ変換して直流電源を表示部３６を始めとする表示装置４５の各部に供給する。また、電源供給部３５は、ＤＣ／ＤＣ変換により得られた直流電源を携帯電話充電装置５０に供給することも可能である。携帯電話充電装置５０は、携帯電話を着脱可能であり、装着された携帯電話に対して電源供給部３５から供給される直流電源により充電を行う。
【００４９】
また、タッチパネル４０は、表示パネル３９の前面側に配される透明のタッチセンサである。このタッチパネル４０はユーザからの入力を受け付ける。
【００５０】
上述した第２実施形態と同様に、制御部３４が振動検知処理を実行し、表示装置４５が振動していると判定した場合、制御部３４は、蓄積部３２に保存された所定画像を表示パネル３９に表示させるよう表示制御部３７を制御する。これにより、携帯電話充電装置５０を有効にするか否かを確認する画面が表示パネル３９に表示される。
【００５１】
この確認画面において携帯電話充電装置５０を有効とすることがタッチパネル４０へのタッチにより選択された場合、制御部３４は、携帯電話充電装置５０に直流電源を供給開始するよう電源供給部３５を制御する。これにより、携帯電話充電装置５０を有効とする。このとき、制御部３４は、蓄積部３２に保存された所定画像を表示パネル３９に表示させるよう表示制御部３７を制御し、携帯電話充電装置５０が有効になった旨を報知する画面を表示パネル３９に表示させてもよい。
【００５２】
地震が発生して一般家庭への電力供給が停止された場合でも、太陽電池２１及び蓄電池２３から電源供給部３５は電力供給を受けるので、携帯電話充電装置５０により携帯電話を充電することが可能となる。従って、被災者が携帯電話を使用して安否確認を行うことが容易となる。
【００５３】
また、仮に地震により太陽電池２１が破壊されても、コントローラ２２及び蓄電池２３が正常であれば、コントローラ２２は、太陽電池２１に日射が当たっていないものと判断して、蓄電池２３からの電力を電源供給部３５に供給することができ、携帯電話に充電することが可能となる。
【００５４】
なお、上述で制御部３４が携帯電話充電装置５０に直流電源を供給開始するよう電源供給部３５を制御する場合に、制御部３４が表示部３６への電源供給を停止するよう電源供給部３５を制御するようにして、電力を有効活用してもよい。
【００５５】
また、振動検知処理を所定の複数回数実行して全ての処理で振動が検出された場合に、地震が発生しているとして、上記確認画面を表示させるようにし、所定の複数回数実行する途中で振動していないことが検出された場合は、悪戯等による振動であるとして、通常の画像表示を継続するようにしてもよい。
【００５６】
以上、本発明の実施形態について説明したが、本発明の趣旨の範囲内であれば、実施形態は種々変形が可能である。
【００５７】
例えば、図３に示す構成である太陽電池２１及び蓄電池２３を備えた表示システム１００が、図２に示す電源供給停止制御を行ってもよい。また、図２に示す処理において、ステップＳ６では安全性の観点から表示装置自体の電源を完全に停止してもよい。この完全停止の制御は、表示装置が自律的に行ってもよいし、コントローラが行ってもよい。一方、ステップＳ７における表示部への電源供給の一定時間停止の場合は、表示部の電源はオフにするが、他の部分への電源供給は行ってもよい。
【００５８】
また、本発明に係る表示装置としては液晶表示装置に限らず、プラズマディスプレイや有機ＥＬディスプレイ等の自発光型表示装置を適用してもよい。
【符号の説明】
【００５９】
１、１１、３１  受信部
２、１２、３２  蓄積部
３、１３、３３  加速度センサ
４、１４、３４  制御部
５、１５、３５  電源供給部
６、１６、３６  表示部
７、１７、３７  表示制御部
８、１８、３８  バックライト
９、１９、３９  表示パネル
１０、２０、４５  表示装置
２１  太陽電池
２２  コントローラ
２３  蓄電池
４０  タッチパネル
５０  携帯電話充電装置
１００、２００  表示システム
【図１】
2012257353.tif 000003
【図２】
2012257353.tif 000004
【図３】
2012257353.tif 000005
【図４】
2012257353.tif 000006